(57)【要約】【課題】  シートクッションに前倒しおよび角度調整可能に支持されるシートバックに被せられ、リクライニングデバイスをはめ込むためのシートバックパッドの切欠き開口に延びるトリムカバー端末の垂れ下がりやそのリクライニングデバイスのトリムカバー巻込みを防止する。【解決手段】  トリムカバーサイド１３がシートバックパッド２２のパッドサイド４１に開口されてシートバックフレーム２１のフレームサイド２６のリクライニングデバイス３１にはめ合わせられるところの切欠き開口４２において、閉口縁４０にトリムカバー端末１５を延ばし、切欠き開口の開口縁４３のトリムカバー端末１５にプレート１６を端末揃いの互いの表面重ね合わせ状態で縫い合わせ、シートバックパッド４０に被せられ、パッドサイド４１とリクライニングデバイス３１の間にプレート１６をはめ込んでいる。【選択図】  図３
2010110430.tif 000002
【特許請求の範囲】
【請求項１】
トリムカバーサイドが、シートバックパッドのパッドサイドに開口されてシートパックフレームのフレームサイドのリクライニングデバイスにはめ合わせられるところの切欠き開口において、それの開口縁にトリムカバー端末を延ばし、そのトリムカバー端末にプレートを取り付け、そして、そのシートバックパッドに被せられ、シートバックパッドとリクライニングデバイスとの間にプレートをはめ込むところのシートバックトリムカバー。
【請求項２】
プレートが、リクライニングデバイスの下側でその切欠き開口にはめ込まれる請求項１に記載のシートバックトリムカバー。
【請求項３】
デバイスカバーが、そのリクライニングデバイスの可動ブラケット側に固定的に支持されてそのリクライニングデバイスの下方部分を覆い、そして、そのプレートが、リクライニングデバイスの下側でその切欠き開口にはめ込まれる請求項１に記載のシートバックトリムカバー。
【発明の詳細な説明】
【技術分野】
【０００１】
この発明は、自動車シートのシートバック、特に、リクライニングシートのシートバックに適するシートバックトリムカバーに関する。
【背景技術】
【０００２】
通常、自動車のリクライニングシートでは、シートバックがリクライニングデバイスでシートクッションに前倒しおよび角度調整可能に支持される構造が採られ、シートバックパッドがパッドサイドに切欠き開口をあけてシートパックフレームに組付け状態でその切欠き開口にそのリクライニングデバイスをはめ込み可能にし、また、シートパックトリムカバーがその切欠き開口にトリムカバー端末を延ばしてそのシートバックパッドに被せられて固定される。
そのようなそのシートバックでは、その切欠き開口の開口線の上側コーナー部分に延びるそのトリムカバー端未にひだが発生するので、そのコーナー部分に延びるそのトリムカバー端末に覆い部材を縫い付けたが、その切欠き開口のその開口縁の下側部分に延びるそのトリムカバー端末が垂れ下がり、そして、シートバックパッドがリクライニングデバイスに干渉し、シートの意匠性が損なわれる。
【特許文献１】特開２０００−３４２０９６号公報
【発明の開示】
【発明が解決しようとする課題】
【０００３】
この発明の課題は、リクライニングデバイスあるいはリクライニングデバイスとフリーヒンジとの組合せでシートクッションに前倒しおよび角度調整可能に支持されるシートバックに被せられ、そのリクライニングデバイスをはめ込むためのシートパックパッドの切欠き開口に延びるトリムカバー端末の垂れ下がりやそのリクライニングデバイスのトリムカバー巻込みあるいはパッド巻込みを防止するところのシートパックトリムカバーの提供にある。
【課題を解決するための手段】
【０００４】
この発明は、トリムカバーサイドが、シートバックパッドのパッドサイドに開口されてシートパックフレームのフレームサイドのリクライニングデバイスにはめ合わせられるところの切欠き開口において、それの開口縁にトリムカバー端末を延ばし、そのトリムカバー端末にプレートを取り付け、そして、そのシートバックパッドに被せられ、シートバックパッドとリクライニングデバイスとの間にプレートをはめ込む。
【発明の効果】
【０００５】
この発明では、そのリクライニングデバイスをはめ込むためのそのシートバックパッドのその切欠き開口のトリムカバー端木の垂れ下がりがそのプレートで防止され、そして、そのリクライニングデバイスへのトリムカバー巻込みが防止される。
また、シートバックパッドとリクライニングデバイスとの間にプレートを設けているので、シートバックパッドがリクライニングデバイスの内側に入り込むことが防止される。
【発明を実施するための最良の形態】
【０００６】
この発明のシートバックトリムカバーは、トリムカバーサイドが、シートパックパッドのパッドサイドに開口されてシートバックフレームのフレームサイドのリクライニングデバイスにはめ合わせられるところの切欠き開口において、それの開口縁にトリムカバー端末を延ばし、その切欠き開口のその開口縁の少なくとも下側部分に延びるそのトリムカバー端末にプレートを縫合により取り付け、そして、そのシートバックパッドに被せられ、その縫い合わせ箇所においてその重ね合わせ状態から開き曲げ状態にそのプレートをなしてその切欠き開口にプレートをはめ込む。そして、デバイスカバーが、そのリクライニングデパイスの可動ブラケット側に固定的に支持されてそのリクライニングデバイスの下方部分を覆い、そして、そのプレートが、そのデバイスカバーの下側でその切欠き開口にはめ込まれるのが望ましい。
【実施例】
【０００７】
以下、特定されて図示された具体例に基づいて、この発明のシートバックトリムカバーを説明するに、図１ないし図３は、自動車のリアシートの右のリアシートバック２０に活用されるところのこの発明のシートバックトリムカバーの具体例１０を示し、そして、そのリアシートパック２０は、シートバックフレーム２１が左のフレームサイド２６にリクライニングデバイス３１の可動ブラケット３３を固定的に取り付けてそのリクライニングデバイス３１を組み付け、そして、右のフレームサイド２７にフリーヒンジブラケット３４を固定的に取り付け、また、シートバックパッド４０が、そのシートパックフレーム２１のそのリクライニングデバイス３１に対応して左のパッドサイド４１のボトムに切欠き状に開ロされてそのリクライニングデバイス３１をはめ込む切欠き開口４２を有し、そして、その切欠き開口４２にそのリクライニングデバイス３１をはめ合わせてそのシートバックフレーム２１に組み付けられ、そして、そのシートバックトリムカバー１０が、そのシートバックパッド４０に被せられてそのシートパックフレーム２１に固定的に止められるところの構造を採る。
【０００８】
そのシートバックフレーム２１は、パイプからフレームトップ２４、フレームボトム２５、およびその左右のフレームサイド２６、２７に折り曲げ加工されたメインパイプフレーム２３、そのメインパイプフレーム２３のその左右のフレームサイド２６、２７間に複数のパッドワイヤ２８、２９を上下方向に所定の間隔を置いて溶接して組み立てられ、そして、そのフレームトップ２４にはヘッドレストホルダー３０、３０が溶接され、ヘッドレストガイド（図示せず）をはめ込んでヘッドレスト（図示せず）を取付け可能にし、また、そのフレームトップ２４とその右のフレームサイド２７とのコーナー部分にはリクライニングロックノブアセンブリ３５が溶接され、さらには、デバイスカバー３６が、所定の厚さの鋼板から所定のブランクに切断され、メインカバープレート（図示せず）の下端に円弧状フランジ３７でそのリクライニングデバイス３１のその可動ブラケット３３の下端を囲むように、そして、そのメインカバープレートでその可動ブラケット３３の下端部分からそのリクライニングデバイス３１の下方部分を仕切るようにしてそのメインカバープレートでそのリクライニングデバイス３１のその可動ブラケット３３の側に固定的に支持されてそのメインカバープレートでそのリクライニングデバイス３１の下方部分を覆う。
【０００９】
そのリクライニングバックフレーム２１は、そのリクライニングデバイス３１のその固定ブラケット３２とそのヒンジブラケット３４にヒンジ結合されるライザー（図示せず）とによってその自動車のフロア（図示せず）に据え付けられる。
【００１０】
そのシートバックトリムカバー１０はトリムカバーフロント１１、トリムカバーリア１２、および左右のトリムカバーサイド１３、１４から袋状に縫製され、そして、そのシートバックトリムカバー１０では、その左のトリムカバーサイド１３が、そのシートバックパッド４０の左のパッドサイド４１に開口されてシートバックフレーム２１の左のフレームサイド２６のリクライニングデバイス３１にはめ合わせられるところのその切欠き開口４２において、それの開口縁４３にトリムカバー端末１５を伸ばし、その切欠き開口４２のその開口縁４３の下側部分に伸びるそのトリムカバー端末１５に細長い保形樹脂プレート１６を端末揃いの互いの表面重ね合わせ状態で縫い合わせ、そして、そのシートバックパッド４０に被せられ、その縫い合わせ箇所においてその重ね合わせ状態から開き曲げ状態にその保形樹脂プレート１６をなしてその切欠き開口４２にその保形樹脂プレート１６をはめ込む。保形樹脂プレート１６はシートバックパッド４０とリクライニングデバイス３１のカバーとの間に挟み込まれる。
その保形樹脂プレート１６は、そのデバイスカバー３６の下側で、具体的には、そのデバイスカバー３６のその円弧状フランジ３７の下側でその切欠きを開口４２にはめ込まれる。その結果、その保形樹脂プレート１６はその切欠き開口４２に確実に外れ止めされ、そのトリムカバー端末１５も垂れ下がりがさらに確実に防止され、そして、そのリクライニングデバイス３１へのトリムカバー巻込みがさらに確実に防止される。またシートバックパッド４０を外側から押し込んだとしてもデバイスカバー３６とシートバックパッド４０の間に保形樹脂プレート１６が介在するため、切欠き開口４２の細長いパッドがリクライニングデバイス３１の内側に入り込むことが防止できる。
【００１１】
したがって、このシートバックトリムカバー１０では、そのシートバックパッド４０のその切欠き開口４２のその開口縁４３に延びるそのトリムカバー端末１５が、そのプレート１６でその切欠き開ロ４２の形状に保たれてそのトリムカバー端末１５の垂れ下がりやそのリクライニングデバイス３１へのトリムカバー巻込み、およびシートバックパッドの巻込みが確実に防止される。
【００１２】
先に図面を参照して説明されたところのこの発明の特定された具体例から明らかであるように、この発明の属する技術の分野における通常の知識を有する者にとって、この発明の内容は、その発明の性質および本質に由来し、そして、それらを内在させると客観的に認められる別の態様に容易に具体化される。勿論、この発明の内容は、その発明の課題に相応し、そして、その発明の成立に必須である。
【産業上の利用可能性】
【００１３】
上述から理解されるように、この発明のシートバックトリムカバーは、トリムカバーサイドが、シートバックパッドのパッドサイドに開口されてシートバックフレームのフレームサイドのリクライニングデバイスにはめ合わせられるところの切欠き開口において、それの開口緑にトリムカバー端末を延ばし、その切欠き関口のその開口緑の少なくとも下側部分に延びるそのトリムカバー端末に細長いプレートを端末揃いの互いの表面重ね合わせ状態で縫い合わせ、そして、そのシートバックパッドに被せられ、その縫い合わせ箇所においてその重ね合わせ状態から開き曲げ状態にそのプレートをなしてその切欠き開口にそのプレートをはめ込むので、この発明のシートバックトリムカバーでは、そのシートバックパッドのその切欠き開口のその開口縁に延びるそのトリムカバー端末が、そのプレートでその切欠き開口の形状に保たれ、そして、そのトリムカバー端末の垂れ下がりやそのリクライニングデバイスヘのトリムカバー巻込みが確実に防止され、その結果、自動車のリアシートにとって非常に有用で実用的である。
【図面の簡単な説明】
【００１４】
【図１】この発明のシートシートバックトリムカバーの具体例を活用するところの自動車のリアシートの右のリアシートパックを示した分解斜視図である。
【図２】その右のリアシートバックのシートバックフレームを部分的に示した部分正面図である。
【図３】そのシートバックトリムカバーのトリムカバー端末とプレートとの縫い合わせ状態を示した平面図である。
【符号の説明】
【００１５】
１０  シートバックトリムカバー
１３  左のトリムカバーサイド
１４  右のトリムカバーサイド
１５  トリムカバー端末
１６  プレート
２２  シートバックパッド
３１  リクライニングデバイス
３６  デバイスカバー
【図１】
2010110430.tif 000003
【図２】
2010110430.tif 000004
【図３】
2010110430.tif 000005
【手続補正書】
【提出日】平成20年11月11日(2008.11.11)
【手続補正１】
【補正対象書類名】図面
【補正対象項目名】全図
【補正方法】変更
【補正の内容】
【図１】
2010110430.tif 000006
【図２】
2010110430.tif 000007
【図３】
2010110430.tif 000008